(57)【要約】【課題】吸込口を閉じた状態でも段差や溝が外面に露出しないスッキリとした外観を得ると共に、簡単に清掃ができるようにする。【解決手段】室内機本体１０とその室内機本体１０を覆う前面カバー２０とを備えた空気調和機の室内機である。前面カバー２０は、室内機本体１０に着脱自在であり、室内機本体１０の上面の吸込口１１ａを外側から覆う上蓋部２１と、その上蓋部２１に連続する正面部２２と、その正面部２２に連続し且つ吹出口１１ｂを外側から覆う下面部２３を備える。前面カバー２０の上蓋部２１は、室内機本体１０に設けた上部レバー１３により吸込口１１ａを開閉し、下面部２３は本体ケース１１に設けた下部レバー１４により吹出口１１ｂを開閉する。【選択図】  図６
2010249338.tif 000002
【特許請求の範囲】
【請求項１】
室内機本体と該室内機本体を覆う前面カバーとを備えた空気調和機の室内機であって、
前記前面カバーは、前記室内機本体に着脱自在であり、前記室内機本体の上面の吸込口を外側から覆う上蓋部と、該上蓋部に連続する正面部とを備え、
前記室内機本体は、前記上面の前記吸込口の近傍に、前記前面カバーの前記上蓋部を上方に起倒して前記吸込口を開閉させる第１の開閉手段を備えることを特徴とする室内機。
【請求項２】
請求項１に記載の室内機において、
前記前面カバーは、前記正面部に連続し且つ前記室内機本体の吹出口を外側から覆う下面部を備え、
前記室内機本体は、前記室内機本体の前記吹出口又は前記吹出口の近傍に、前記前面カバーの前記下面を下方に起倒して前記吹出口を開閉させる第２の開閉手段を備えることを特徴とする室内機。
【請求項３】
請求項１又は２に記載の室内機において、
前記前面カバーは、柔軟性を有する樹脂材で形成され、裏面に硬質系樹脂材による補強リブが形成されていることを特徴とする室内機。
【発明の詳細な説明】
【技術分野】
【０００１】
本発明は、塵埃の侵入を防ぐ前面カバーを備えた空気調和機の室内機に関するものである。
【背景技術】
【０００２】
空気調和機の室内機は、上面に吸込口が、前面下部には吹出口が設けられ、内部には熱交換器と送風ファンとフィルタが設けられ、前記送風ファンにより前記吸込口から吸い込まれた吸込空気が前記フィルタを通過して前記熱交換器で熱交換され冷気あるいは暖気となり、前記吹出口から室内に送出している。
【０００３】
ところで、吸込口には塵埃がつもり、また、室内機全体に油やタバコなどによる汚れが付着することで、美観を損ねると共に、吸込口の隙間から塵埃が内部に侵入し、フィルタでも捉えきれない細かな塵埃が熱交換器や送風ファンに付着し、オフシーズンなどの時期に長時間不使用状態が続いた後に運転を開始すると、室内機内に付着した塵埃によって、暖房あるいは冷房能力が低下する問題があった。
【０００４】
このようなことから、室内機には清掃が必要になるが、通常、室内機は室内の高い場所に設置されるため、清掃には手間がかかり、特に室内機内部の清掃には専門家が必要となっていた。
【０００５】
そこで、従来では、特許文献１に記載のように、複数のスリットが形成された吸込口の内側に、吸込口と同様に複数のスリットが形成された蓋板を、スリットと直交する方向にスライド可能に取り付けた室内機が提案されている。
【０００６】
この室内機では、運転時には、蓋板を、両スリットが一致する位置にスライドさせることで、外気を室内機内部に取り込み可能となり、運転停止時には、両スリットが一致しない位置にスライドさせることで、吸込口を蓋板によって閉じ、塵埃の侵入を阻止することができる。
【先行技術文献】
【特許文献】
【０００７】
【特許文献１】特開２００４−２５１４６５号公報
【発明の概要】
【発明が解決しようとする課題】
【０００８】
ところが、特許文献１に記載の蓋板は、吸込口のスリットを鎧戸形式でスライド開閉する構造であり、例え吸込口を閉じている場合でも、その吸込口には段差や溝が外面に露出しているので、そこに塵埃が積もってしまい、しかもその段差や溝の掃除は大変難く、結局、蓋板が開いた時に段差や溝に積もった塵埃が内部に侵入してしまう問題がある。
【０００９】
本発明は以上のような点に鑑みてなされたもので、その目的は、吸込口を閉じた状態でも段差や溝が外面に露出しないスッキリとした外観を得ると共に、簡単に清掃ができるようにした室内機を提供することである。
【課題を解決するための手段】
【００１０】
上記目的を達成するために、請求項１にかかる発明は、室内機本体と該室内機本体を覆う前面カバーとを備えた空気調和機の室内機であって、前記前面カバーは、前記室内機本体に着脱自在であり、前記室内機本体の上面の吸込口を外側から覆う上蓋部と、該上蓋部に連続する正面部とを備え、前記室内機本体は、前記上面の前記吸込口の近傍に、前記前面カバーの前記上蓋部を上方に起倒して前記吸込口を開閉させる第１の開閉手段を備えることを特徴とする。
【００１１】
請求項２にかかる発明は、請求項１に記載の室内機において、前記前面カバーは、前記正面部に連続し且つ前記室内機本体の吹出口を外側から覆う下面部を備え、前記室内機本体は、前記室内機本体の前記吹出口又は前記吹出口の近傍に、前記前面カバーの前記下面を下方に起倒して前記吹出口を開閉させる第２の開閉手段を備えることを特徴とする。
【００１２】
請求項３にかかる発明は、請求項１又は２に記載の室内機において、前記前面カバーは、柔軟性を有する樹脂材で形成され、裏面に硬質系樹脂材による補強リブが形成されていることを特徴とする。
【発明の効果】
【００１３】
本発明によれば、運転停止時に吸込口が前面カバーで外側から閉じられるので、吸込口が外部に露出することはなく、そこに塵埃が積もることを防止できる。また、その前面カバーの外面には段差や溝が必要ないことで、フラットな面となり、スッキリとした外観を得ることができる。また、その前面カバーは着脱自在であり、取り外して洗うことができ、清掃が容易となる。
【図面の簡単な説明】
【００１４】
【図１】本実施例の室内機の分解斜視図である。
【図２】本実施例の室内機の斜視図である。
【図３】本実施例の室内機の運転停止時の中央部分の縦断面図である。
【図４】本実施例の室内機の運転停止時の左端部の縦断面図である。
【図５】本実施例の前面カバーの中央部分の縦断面図である。
【図６】本実施例の室内機の運転時の中央部分の縦断面図である。
【発明を実施するための形態】
【００１５】
本発明の一実施例の室内機は、図１、図２に示すように、室内機本体１０と、その室内機本体１０の上下面と正面を覆う前面カバー２０からなる。
【００１６】
室内機本体１０は、図１から図４に示すように、横長矩形で前方に大きく突き出した形状をした本体ケース１１の上面に、広く開口された吸込口１１ａが設けられ、前面下部に吹出口１１ｂと風向板１１ｃ１，１１ｃ２が設けられ、内部には吸込口１１ａに合わせ自動清掃機能を有するフィルタ１２と、送風ファン１５と、熱交換器１６と、電装品箱１７が設けられ、前記送風ファン１５により前記吸込口１１ａから吸い込まれた吸込空気が前記フィルタ１２を通過して前記熱交換器１６で熱交換され、冷気あるいは暖気となり、前記吹出口１１ｂから風向板１１ｃ１，１１ｃ２で風向制御され室内に送出している。
【００１７】
本体ケース１１の上面左右の端には、前記前面カバー２０を開閉する開閉手段である上部レバー１３が設けられている。この上部レバー１３は、図示しない内蔵モータで駆動される前方の軸１３ａを支点に上方に起倒可能である。また、この本体ケース１１の前面下部の吹出口１１ｂの左右の端にも、下部レバー１４が設けられている。この下部レバー１４は、図示しない内蔵モータで駆動される前方の軸１４ａを支点に下方に起倒可能である。さらに、本体ケース１１のフラットな正面の左右端および上端には、前面カバー２０を止着するためのボス穴１１ｄが複数形成されている。
【００１８】
前面カバー２０は、室内機本体１０の本体ケース１１の上面の吸込口１１ａを上側から覆う上蓋部２１、本体ケース１１の正面に着脱自在に止着される正面部２２、および本体ケース１１の吹出口１１ｂを下側から覆う下面部２３からなり、ポリプロピレン、ポリ塩化ビニル等の柔軟性を有する樹脂材で形成されている。上蓋部２１の裏面には、横方向に複数の補強リブ２１ａが形成され、その各補強リブ２１ａの左右端部は幅広となっている。また、正面部２２の裏面にも、横方向に複数の補強リブ２２ａが形成され、その各補強リブ２２ａの左右端部は幅広となっている。また、下面部２３の裏面にも、横方向に複数の補強リブ２３ａが形成され、その各補強リブ２３ａの左右端部は幅広となっている。なお、これら上蓋部２１、正面部２２、下面部２３には、横方向の補強リブ２１ａ，２２ａ，２３ａの他に、図示しない縦方向の補強リブも形成されている。
【００１９】
そして、上蓋部２１と正面部２２の間の稜線部分２４、および正面部２２と下面部２３の間の稜線部分２５は、外力が加わらない限りその屈曲角度を保持するが、外力が加わると、その部分で曲折可能なヒンジとして機能する。また、正面部２２の裏面の左右端と上端には、室内機本体１０の本体ケース１１の正面に形成された各ボス穴１１ｄに着脱嵌合可能なボス２２ｂが複数形成されている。なお、上蓋部２１は上部レバー１３と、下面部２３は下部レバー１４と、それぞれ着脱嵌合可能なボスで止着されているが、その止着状態は上部レバー１３や下部レバー１４の起倒動作に支障がないように、スライド可能な嵌合状態となるよう構成されている（図示せず）。
【００２０】
さて、停止状態にある室内機本体１０に対して前面カバー２０を取り付けるときは、前面カバー２０の各ボス２２ｂが本体ケース１１の各ボス穴１１ｄに嵌合するように、前面カバー２０を室内機本体１０に対して、図１に示すように、正面から押し付けることで、図２に示すように、両者を一体化させる。なお、図示はしないが、このとき、上蓋部２１の上部レバー１３に対する止着、下面部２３の下部レバー１４に対する止着も、同様に行い、一体化させる。
【００２１】
このとき、つまり、室内機本体１０が運転停止状態にあるときは、図４に示すように、室内機本体１０の上部レバー１３は下方向に回動して収納され、下部レバー１４は上方向に回動して収納されている。これによって、前面カバー２０の上蓋部２１は吸込口１１ａを上側から覆い、下面部２３は吹出口１１ｂを下側から覆っている。よって、塵埃がフィルタ１２の上面に積もったり、吹出口１１ｂから内部に侵入することが防止される。また、前面カバー２０の外面には段差や溝は形成されていないので、そこに塵埃が積もることもない。
【００２２】
室内機本体１０が運転状態になると、図６に示すように、室内機本体１０の上部レバー１３が上方向に回動して、前面カバー２０の上蓋部２１を上方に押し上げ、下部レバー１４が下方向に回動して、前面カバー２０の下面部２３を前方に押し出す。この結果、吸込口１１ａのフィルタ１２の上方が開放され、吹出口１１ｂの下方が開放され、エアーの取り込みおよび吐き出しが可能となる。このとき、上側の風向板１１ｃ１が前面カバー２０の下面部２３を支えると共に、この下面部２３がその風向板１１ｃ１を実質的に延長させ風を制御する機能を果たす。
【００２３】
本実施例の前面カバー２０は、室内機本体１０が運転停止状態のとき、本体ケース１１のボス穴１１ｄから正面部２２のボス２２ｂを引き抜き、上蓋部２１や下面部２３についても同様にすることにより、取り外すことができるので、これを独立して清掃することが可能となる。
【００２４】
なお、上記実施例では、前面カバー２０が上蓋部２１、正面部２２および下面部２３を備える場合を説明したが、室内機本体１０の本体ケース１１が吹出口１１ｂを閉じる風向板１１ｃ１，１１ｃ２を備えるので、この場合は、下面部２３は必ずしも必要がない。また、前面カバー１０は、柔軟性を有する樹脂材としたが、硬質の樹脂材であってもよく、この場合はヒンジ部品（図示せず）を用いて上蓋部２１と正面部２２の間の稜線部分２４、正面部２２と下面部２３の間の稜線部分２５を、それぞれ結合すればよい。
【符号の説明】
【００２５】
１０：室内機本体、１１：本体ケース、１１ａ：吸込口、１１ｂ：吹出口、１１ｃ１，１１ｃ２：風向板、１１ｄ：ボス穴、１２：フィルタ、１３：上部レバー、１３ａ：支点、１４：下部レバー、１４ａ：支点、１５：送風ファン、１６：熱交換器、１７：電装品箱
２０：前面カバー、２１：上蓋部、２１ａ：補強リブ、２２：正面部、２２ａ：補強リブ、２２ｂ：ボス、２３：下面部、２３ａ：補強リブ、２４，２５：稜線部分
【図１】
2010249338.tif 000003
【図２】
2010249338.tif 000004
【図３】
2010249338.tif 000005
【図４】
2010249338.tif 000006
【図５】
2010249338.tif 000007
【図６】
2010249338.tif 000008